(57)【要約】【課題】  第１シールリング及び第２シールリングが正しく継手本体内部に配置されていることを容易に確認できる管継手を提供すること。【解決手段】  配管２が挿入される継手本体４の内周面に形成されたシール部８には、シール部８の軸線方向において配管２の挿入側とは反対側から順に第１シールリング９及び第２シールリング１１が配置された管継手１であって、第１シールリング９を第２シールリング１１よりも暗所で目立つようにした。【選択図】  図１
2020183778.tif 000002
【特許請求の範囲】
【請求項１】
配管が挿入される継手本体の内周面に形成されたシール部には、当該シール部の軸線方向において前記配管の挿入側とは反対側から順に第１シールリング及び第２シールリングが配置された管継手であって、前記第１シールリングを前記第２シールリングよりも暗所で目立つようにした管継手。
【請求項２】
前記第１シールリングの色は前記第２シールリングの色よりも暗所で目立つ請求項１に記載の管継手。
【発明の詳細な説明】
【技術分野】
【０００１】
本発明は、管継手に関する。
【背景技術】
【０００２】
図３は、特許文献１に記載された管継手１０１を示す。管継手１０１においては、配管１０２との間の水密を確保するために、第１シールリング１０９及び第２シールリング１１１が用いられている。第１シールリング１０９及び第２シールリング１１１は、継手本体１０４内に設けられたシール部１０８に収容されている。第１シールリング１０９と第２シールリング１１１とは、同じもの（材質、形状、及び寸法等が全て同じ）である。
【０００３】
また、特許文献２には、材質の異なる複数のシール部材（シールリング）を用いた配管接続具が開示されている。複数のシール部材（シールリング）は、配管接続具の外周に配置されている。複数のシール部材（シールリング）は、配置間違い防止のため、材質毎に異なる色に着色されている。
【先行技術文献】
【特許文献】
【０００４】
【特許文献１】特開２０１８−１６８９８０号
【特許文献２】特開２００２−１６８３８２号
【発明の概要】
【発明が解決しようとする課題】
【０００５】
ところで、前記特許文献１に記載の管継手１０１においても、例えば、継手本体の設計に応じて、第１シールリング１０９と第２シールリング１１１とを相互に異なるものとする場合がある。この場合、特許文献２に開示されているように、第１シールリング１０９と第２シールリング１１１との配置間違いを防止するため、第１シールリング１０９と第２シールリング１１１とを相互に異なる色に着色することが考えられる。
【０００６】
しかしながら、管継手１０１において、第１シールリング１０９と第２シールリング１１１とは、管継手１０１の内部のシール部１０８に配置される。管継手１０１の内部は、管継手１０１の端部から離れるほど陰になり暗くなっている。したがって、第１シールリング１０９及び第２シールリング１１１が正しく配置されていることを確認する場合、特に第１シールリング１０９の視認が困難であった。さらに、暗所では、色の違いがわかりにくいため、第１シールリング１０９と第２シールリング１１１との相互の識別性が低下するという問題があった。
【０００７】
本発明の目的は、第１シールリング及び第２シールリングが正しく配置されていることを容易に確認できる管継手を提供すること。
【課題を解決するための手段】
【０００８】
前記目的を達成するために請求項１の発明は、配管が挿入される継手本体の内周面に形成されたシール部には、当該シール部の軸線方向において前記配管の挿入側とは反対側から順に第１シールリング及び第２シールリングが配置された管継手であって、前記第１シールリングを前記第２シールリングよりも暗所で目立つようにした管継手である。
【０００９】
請求項２の発明は請求項１において、前記第１シールリングの色は前記第２シールリングの色よりも暗所で目立つ。
【発明の効果】
【００１０】
本発明によれば、第１シールリングは第２シールリングよりも暗所で目立つようにされている。したがって、組立後の管継手内部において、第１シールリングが容易に視認できるとともに、第１シールリングと第２シールリングとの識別性が高いため、第１シールリング及び第２シールリングが正しく配置されていることを容易に確認できる。
【図面の簡単な説明】
【００１１】
【図１】管継手全体を示す縦断面図。
【図２】図１の要部拡大図。
【図３】従来の管継手全体を示す縦断面図。
【発明を実施するための形態】
【００１２】
以下、管継手の一実施形態について説明する。
図１に示す管継手１は、流体を流す合成樹脂製の配管２をつなぎ合わせるためのものであって、筒状に形成された合成樹脂製の継手本体４を備えている。上流側（図１の右側）の配管２は、継手本体４の軸線方向における一方の端部（図１の右端部）から継手本体４内に挿入されている。下流側（図１の左側）の配管２は、継手本体４の軸線方向における他方の端部（図１の左端部）から継手本体４に挿入されている。
【００１３】
なお、管継手１において、上流側と下流側とは同一の構造であるため、以下では上流側の構造についてのみ説明し、下流側の構造については上流側と同一の符号を付して説明を省略する。
【００１４】
継手本体４の内周面において、継手本体４の軸線方向の中央部には環状突起５が形成されている。継手本体４の内周面において、環状突起５に隣接する継手本体４の端部寄りの部分には、配管２の端部を収容する収容部６が設けられている。配管２の端部には、筒状のインコア７が挿入されている。インコア７が配管２に没入することは、インコア７の端部に形成されたフランジ７ａによって抑制されている。インコア７を挿入した配管２の端部が、継手本体４の端部から挿入されて収容部６に収容されている。
【００１５】
継手本体４の内周面において、収容部６と継手本体４の対応する端部との間の部分には、収容部６よりも大径となるシール部８が設けられている。シール部８には、収容部６側から継手本体４の端部側に向けて、第１シールリング９、スペーサリング１０、第２シールリング１１及び保持リング１２が、同順に配置されている。
【００１６】
配管２の端部が継手本体４の収容部６に挿入されたときには、配管２が第１シールリング９、スペーサリング１０、第２シールリング１１及び保持リング１２を貫通する。このとき、第１シールリング９及び第２シールリング１１が配管２の外周面に接触した状態となり、当該状態によって、継手本体４を流れる流体が配管２の外周面と継手本体４の内周面との間から管継手１の外に漏れることを防止できる。
【００１７】
管継手１は、配管２を継手本体４に保持するための保持部材１３と、保持部材１３を継手本体４に取り付けるためのキャップ１４とを備えている。保持部材１３には、嵌込リング１５と割リング１６との間に位置する円環状のロックリング１７が設けられている。保持部材１３は、継手本体４のシール部８に配置された保持リング１２に隣接して位置している。
【００１８】
キャップ１４は、円筒状に形成されている。キャップ１４は、その開口端（継手本体４側の端部）に継手本体４における端部（挿入端）が挿入された状態となることにより、保持部材１３を継手本体４（保持リング１２）との間に挟んでいる。
【００１９】
キャップ１４は、その開口端を継手本体４の挿入端と径方向に重なる部分において、当該挿入端に対しスナップ係合させることにより、継手本体４に取り付けられている。継手本体４に対しキャップ１４を取り付けることにより、継手本体４とキャップ１４との間に挟まれた保持部材１３が継手本体４に取り付けられている。
【００２０】
保持部材１３がキャップ１４によって継手本体４に取り付けられた状態で、配管２の端部が保持部材１３及びキャップ１４を貫通して継手本体４の挿入端から収容部６に挿入されると、保持部材１３のロックリング１７が配管２の外周面を押圧し、それによって配管２が継手本体４から抜け出すことを防止できる。
【００２１】
次に、シール部８、第１シールリング９及び第２シールリング１１について詳しく説明する。
図２に示すように、シール部８には、配管２の挿入側に、第２シールリング１１及び保持リング１２のそれぞれに対応する大径部分８ａが形成されている。シール部８には、大径部分８ａに対して配管２の挿入側とは反対側に、第１シールリング９に対応する小径部分８ｂが形成されている。大径部分８ａと小径部分８ｂとの境界には、係止段差８ｃがシール部８の軸線の周りにおいて円環状に形成されている。係止段差８ｃは、配管２の挿入時において、スペーサリング１０がそれ以上に第１シールリング９側へ移動することを当接規制する。したがって、配管２の挿入時において、第１シールリング９がスペーサリング１０によって過度に押されることがなく、第１シールリング９がシール部８からはみ出すことを防止できる。
【００２２】
第１シールリング９の外径は、小径部分８ｂの径に応じて設定されている。第２シールリング１１は、大径部分８ａの径に応じて設定されている。したがって、第１シールリング９の外径は、第２シールリング１１の外径よりも小さい。これにより、第１シールリング９及び第２シールリング１１がシール部８に対して適正に収まっている。なお、第１シールリング９と第２シールリング１１とは、寸法が異なるものであるが、目視での識別は困難である。
【００２３】
また、第２シールリング１１は、黒色に着色されている。第１シールリング９は、第２シールリング１１とは異なる色、例えば赤色に着色されている。したがって、管継手１の組立時における相互の識別が容易であるため、第１シールリング９と第２シールリング１１との配置間違いを防止できる。
【００２４】
さらに、第１シールリング９の赤色は、第２シールリング１１の黒色よりも暗所で目立つ。これにより、管継手１の組立後において、管継手１の内部奥方に配置された第１シールリング９が容易に視認できるとともに、管継手１の内部に配置された、第１シールリング９と第２シールリング１１とを容易に識別できる。したがって、第１シールリング９と第２シールリング１１とが正しく配置されていることを容易に確認できる。
【００２５】
[別例]
○第１シールリング９を、蛍光色あるいはメタリック調の色の着色により、第２シールリング１１よりも暗所で目立つようにすること。
【００２６】
○第２シールリング１１と同じ色の第１シールリング９に、当該色よりも暗所で目立つ色の模様をつけること。
【００２７】
○第１シールリング９と第２シールリング１１について、内径や材質等の外径以外が異なるものとすること。
【００２８】
○シール部８は係止段差８ｃにより径差を生じているが、抜き勾配等の勾配により径差を生じるようにすること。
【００２９】
○管継手１はいわゆるソケットであるが、これをチーズやエルボに変更すること。
【００３０】
○管継手１は、全ての保持部材１３がいわゆるワンタッチタイプのものであったが、一部の保持部材について、ねじ接合や熱融着接合等のワンタッチタイプ以外へと変更すること。
【符号の説明】
【００３１】
１…管継手、２…配管、４…継手本体、８…シール部、９…第１シールリング、１１…第２シールリング。
【図１】
2020183778.tif 000003
【図２】
2020183778.tif 000004
【図３】
2020183778.tif 000005